(57)【要約】【課題】駐車料金の精算に関する駐車場の利用者及び管理者の手間が低減される駐車場管理システムを提供する。【解決手段】駐車場管理システムは、車両３が駐車場の車室４１から出庫する時には、駐車場管理サーバ２０は、駐車場の利用者ＩＤに基づいて在車ＤＢ３２を検索し、入庫時刻及び出庫時刻に基づいて駐車時間を求め、求められた駐車時間に基づいて、料金ＤＢ３３を参照して駐車料金を求め、求められた駐車料金をネットワークを介して携帯端末１０へ送信し、携帯端末１０が駐車料金を決済する時には、携帯端末１０は、ネットワークを介して外部の決済サーバ２１と通信し、駐車料金の決済を実行した後、車室４１に配置された入退出規制装置４３は、車室４１からの車両３の退出を許容する状態へ移行する。【選択図】図１
2014174828.tif 000002
【特許請求の範囲】
【請求項１】
駐車場管理システムであって、
駐車場の車室に配置され、車室に車両が入庫している在車モード及び車室に車両が入庫していない空車モードを有し、駐車場の利用者が有する携帯端末と通信可能な入出庫管理装置と、
前記携帯端末と、ネットワークを介して通信可能な駐車場管理サーバと、
車両の車室への入庫時刻及び車室ＩＤが、駐車場の利用者を識別する利用者ＩＤと関連付けられて記録される在車データベースと、
入庫時刻及び駐車時間と駐車料金との関係が記録される料金データベースと、
を備え、
車両が車室に入庫していない車室に入庫する時には、
前記入出庫管理装置は、配置された車室を識別する車室ＩＤを、前記携帯端末へ送信し、
前記携帯端末は、受信した車室ＩＤと、入庫時刻と、利用者ＩＤを、ネットワークを介して前記駐車場管理サーバへ送信すると共に、前記入出庫管理装置を在車モードへ移行させる指示を前記入出庫管理装置へ送信し、
前記駐車場管理サーバは、受信した入庫時刻及び車室ＩＤを、受信した利用者ＩＤと関連づけて前記在車データベースに記録し、
車両が車室から出庫する時には、
前記入出庫管理装置は、車室ＩＤを、前記携帯端末へ送信し、
前記携帯端末は、受信した車室ＩＤと、出庫時刻と、利用者ＩＤを、ネットワークを介して前記駐車場管理サーバへ送信し、
前記駐車場管理サーバは、受信した利用者ＩＤ及び車室ＩＤに基づいて前記在車データベースを検索し、利用者ＩＤ及び車室ＩＤと関連づけられて記録された入庫時刻を読み取り、読み取られた入庫時刻と、該入庫時刻及び受信した出庫時刻に基づいて求められた駐車時間とに基づいて、前記料金データベースを参照して駐車料金を求め、求められた駐車料金を、ネットワークを介して前記携帯端末へ送信し、
前記携帯端末が駐車料金を決済する時には、
前記携帯端末は、所定の決済手段を用いて、受信した駐車料金の決済を実行した後、前記入出庫管理装置を空車モードへ移行させる指示を前記入出庫管理装置へ送信する、駐車場管理システム。
【請求項２】
前記入出庫管理装置は、車室への車両の進入を規制する進入規制手段を有し、
車両が車室に入庫していない車室に入庫する時には、
前記入出庫管理装置は、前記入出庫管理装置を在車モードへ移行させる指示を受信した後、前記進入規制手段を、車室への車両の進入を許容する状態へ移行させ、
前記携帯端末が駐車料金を決済した後、
空車モードへ移行させる指示を受信した前記入出庫管理装置は、前記進入規制手段を、車室への車両の進入を阻止する状態へ移行させる請求項１に記載の駐車場管理システム。
【請求項３】
前記入出庫管理装置は、車両が車室に入庫しているか否かを検知する第１車両検知器を有し、
前記携帯端末が駐車料金を決済した後、
空車モードへ移行させる指示を受信した前記入出庫管理装置は、前記第１車両検知器が車両が車室に入庫していないことを検知すると、前記進入規制手段を、車室への車両の進入を阻止する状態へ移行させる請求項２に記載の駐車場管理システム。
【請求項４】
前記入出庫管理装置は、車室からの車両の退出を規制する退出規制手段を有し、
車両が車室に入庫していない車室に入庫する時には、
前記入出庫管理装置は、前記入出庫管理装置を在車モードへ移行させる指示を受信した後、前記退出規制手段を、車室からの車両の退出を阻止する状態へ移行させ、
前記携帯端末が駐車料金を決済した後、
空車モードへ移行させる指示を受信した前記入出庫管理装置は、前記退出規制手段を、車室からの車両の退出を許容する状態へ移行させる請求項１〜３の何れか一項に記載の駐車場管理システム。
【請求項５】
前記入出庫管理装置は、車両が車室に入庫しているか否かを検知する第２車両検知器を有し、
車両が車室に入庫していない車室に入庫する時には、
前記入出庫管理装置は、前記入出庫管理装置を在車モードへ移行させる指示を受信した後、前記第２車両検知器が車両が車室に入庫したことを検知すると、前記退出規制手段を、車室からの車両の退出を阻止する状態へ移行させる請求項４に記載の駐車場管理システム。
【請求項６】
前記入出庫管理装置は、車室からの車両の入退出を規制する入退出規制手段を有し、
車両が車室に入庫していない車室に入庫する時には、
前記入出庫管理装置を在車モードへ移行させる指示を受信した前記入出庫管理装置は、前記入退出規制手段を、車室への車両の進入を許容する状態へ移行させた後、車室からの車両の退出を阻止する状態へ移行させ、
前記携帯端末が駐車料金を決済した後、
空車モードへ移行させる指示を受信した前記入出庫管理装置は、前記入退出規制手段を、車室からの車両の退出を許容する状態へ移行させた後、車室への車両の進入を阻止する状態へ移行させる請求項１に記載の駐車場管理システム。
【請求項７】
画像及び画像が撮影された時刻が、車室ＩＤと関連づけて記録される不正駐車データベースを備え、
前記入出庫管理装置は、ネットワークを介して前記駐車場管理サーバと通信可能であり、且つ、車両が車室に入庫しているか否かを検知する第３車両検知器及び車室に入庫している車両を撮影する撮影手段を有し、
前記入出庫管理装置は、前記第３車両検知器が車両が車室に入庫したことを検知した時から所定の時間が経過するまでに、車室ＩＤと、空車モードであることを示す情報を、前記携帯端末へ送信できない場合には、前記撮影手段が撮影した画像と、画像が撮影された時刻と、車室ＩＤを、ネットワークを介して前記駐車場管理サーバに送信し、
前記駐車場管理サーバは、受信した画像及び画像が撮影された時刻を、車室ＩＤと関連づけて前記不正駐車データベースに記録する請求項１〜６の何れか一項に記載の駐車場管理システム。
【請求項８】
車室に入庫した車両を識別する車両情報及び車両情報が認識された時刻が、車室ＩＤと関連づけて記録される不正駐車データベースを備え、
前記入出庫管理装置は、ネットワークを介して前記駐車場管理サーバと通信可能であり、且つ、車両が車室に入庫しているか否かを検知する第４車両検知器及び車室に入庫している車両を識別する車両情報を認識する車両情報認識手段を有し、
前記入出庫管理装置は、前記第４車両検知器が車両が車室に入庫したことを検知した時から所定の時間が経過するまでに、車室ＩＤと、空車モードであることを示す情報を、前記携帯端末へ送信できない場合には、前記車両情報認識手段が認識した車両情報と、車両情報が認識された時刻と、車室ＩＤを、ネットワークを介して前記駐車場管理サーバに送信し、
前記駐車場管理サーバは、受信した車両情報及び車両情報が認識された時刻を、車室ＩＤと関連づけて前記不正駐車データベースに記録する請求項１〜６の何れか一項に記載の駐車場管理システム。
【請求項９】
駐車場の周辺の店舗には、前記携帯端末と通信可能な割引認証機が配置されており、前記割引認証機は、駐車場の利用者が店舗で支払った支払い金額と、店舗を識別する店舗ＩＤを、前記携帯端末に送信し、
前記携帯端末は、支払い金額と、店舗ＩＤと、利用者ＩＤを、ネットワークを介して前記駐車場管理サーバへ送信し、
前記駐車場管理サーバは、受信した支払い金額と、店舗ＩＤを、利用者ＩＤと関連付けて、支払い金額及び店舗ＩＤが利用者ＩＤと関連付けられて記録される店舗支払いデータベースに記録し、
車両が車室から出庫する時には、
前記駐車場管理サーバは、利用者ＩＤに基づいて前記店舗支払いデータベースを検索し、利用者ＩＤと関連づけられて記録された店舗ＩＤ及び支払い金額を求め、求められた店舗ＩＤ及び支払い金額に基づいて、店舗ＩＤによって識別される店舗ごとに定められた支払金額と割引金額との関係が記録された割引データベースを検索して割引金額を求め、駐車料金と共に、求められた割引金額又は割引金額が減額された駐車料金を、ネットワークを介して前記携帯端末へ送信する請求項１〜８の何れか一項に記載の駐車場管理システム。
【請求項１０】
前記割引認証機は、駐車場の利用者が店舗で支払い金額を支払った支払い時刻を、支払い金額及び店舗ＩＤと共に、前記携帯端末に送信し、
前記携帯端末は、支払い時刻を、支払い金額及び店舗ＩＤ及び利用者ＩＤと共に、ネットワークを介して前記駐車場管理サーバへ送信し、
前記駐車場管理サーバは、受信した支払い時刻を、支払い金額及び店舗ＩＤと共に、利用者ＩＤと関連付けて、前記店舗支払いデータベースに記録し、
車両が車室から出庫する時には、
前記駐車場管理サーバは、支払い時刻が、入庫時刻と出庫時刻との間ではない場合には、駐車料金から割引金額を減額しない請求項９に記載の駐車場管理システム。
【請求項１１】
駐車場の利用者によって予約された車室を識別する車室ＩＤ及び予約時間帯が、利用者ＩＤと関連付けられて記録された予約データベースを備え、
前記料金データベースには、車室の予約が利用された場合に駐車料金に加算される予約料金が記録されており、
車両が車室に入庫していない予約された車室に入庫する時には、
前記携帯端末は、受信した車室ＩＤと入庫時刻と利用者ＩＤを、ネットワークを介して前記駐車場管理サーバへ送信し、
前記駐車場管理サーバは、受信した車室ＩＤを、受信した利用者ＩＤと関連づけて前記在車データベースに記録すると共に、受信した入庫時刻を、利用者ＩＤと関連づけて、駐車開始時刻として前記予約データベースに記録し、
車両が車室から出庫する時には、
前記駐車場管理サーバは、受信した利用者ＩＤに基づいて前記予約データベースを検索し、利用者ＩＤと関連づけられて記録された予約時間帯が記録されている場合には、前記料金データベースを参照して予約料金を求め、駐車料金と共に、求められた予約料金、又は、予約料金が加算された駐車料金を、ネットワークを介して前記携帯端末へ送信する請求項１〜１０の何れか一項に記載の駐車場管理システム。
【請求項１２】
前記携帯端末が、現在までの駐車料金の要求と、利用者ＩＤを、ネットワークを介して前記駐車場管理サーバへ送信した時には、
前記駐車場管理サーバは、受信した利用者ＩＤに基づいて前記在車データベースを検索し、利用者ＩＤと関連づけられて記録された入庫時刻を読み取り、読み取られた入庫時刻と、現在の時刻に基づいて求められた駐車時間とに基づいて、前記料金データベースを参照して駐車料金を求め、求められた駐車料金を、ネットワークを介して前記携帯端末へ送信する請求項１〜１１の何れか一項に記載の駐車場管理システム。
【請求項１３】
車室ＩＤは、駐車場を識別する駐車場識別部と、駐車場内の車室を識別する車室識別部を有する請求項１〜１２の何れか一項に記載の駐車場管理システム。
【請求項１４】
前記携帯端末と前記入出庫管理装置との間の通信は、近距離無線通信である請求項１〜１３の何れか一項に記載の駐車場管理システム。
【発明の詳細な説明】
【技術分野】
【０００１】
本発明は、駐車場管理システムに関する。
【背景技術】
【０００２】
従来、有料の駐車場が利用されている。有料の駐車場では、駐車時間に応じて駐車料金が請求される。
【０００３】
例えば、小規模の駐車場では、各車室に、入庫した車両の退出を規制する阻止板が配置される。車室に車両が入庫していない状態では、阻止板は倒れていて、車室への車両の進入を許容する状態にある。
【０００４】
そして、車両が車室に入庫すると、阻止板が、立ち上がり、車室からの車両の退出を阻止する状態に移行する。駐車場の利用者は、車両を車室から出庫させるために、阻止板を、車室からの車両の退出を許容する状態へ移行させる必要がある。
【０００５】
阻止板は、駐車場に配置された料金精算機と通信可能に接続されており、料金精算機によって制御されている。利用者が料金精算機において駐車料金の精算を行うと、阻止板は、車室からの車両の退出を許容する状態へ移行する。
【０００６】
利用者は、料金精算機において駐車料金の精算を行って、阻止板を、車室からの車両の退出を許容する状態へ移行させた後、車両を車室から退出させる。
【先行技術文献】
【特許文献】
【０００７】
【特許文献１】特開平６−３６０９７号公報
【発明の概要】
【発明が解決しようとする課題】
【０００８】
ここで、利用者は、車両を車室から出庫させるには、現金又はクレジットカード等により、料金精算機に対して駐車料金の精算を行う必要があった。
【０００９】
また、駐車場の管理者、料金精算機の売上金の回収又は料金精算機の保守を行う必要があった。
【００１０】
そこで、本明細書では、駐車料金の精算に関する駐車場の利用者及び管理者の手間を低減する駐車場管理システムを提案することを目的とする。
【課題を解決するための手段】
【００１１】
本明細書に開示する駐車場管理システムの一形態によれば、駐車場管理システムであって、駐車場の車室に配置され、車室に車両が入庫している在車モード及び車室に車両が入庫していない空車モードを有し、駐車場の利用者が有する携帯端末と通信可能な入出庫管理装置と、上記携帯端末と、ネットワークを介して通信可能な駐車場管理サーバと、車両の車室への入庫時刻及び車室ＩＤが、駐車場の利用者を識別する利用者ＩＤと関連付けられて記録される在車データベースと、入庫時刻及び駐車時間と駐車料金との関係が記録される料金データベースと、を備え、車両が車室に入庫していない車室に入庫する時には、上記入出庫管理装置は、配置された車室を識別する車室ＩＤを、上記携帯端末へ送信し、上記携帯端末は、受信した車室ＩＤと、入庫時刻と、利用者ＩＤを、ネットワークを介して上記駐車場管理サーバへ送信すると共に、上記入出庫管理装置を在車モードへ移行させる指示を上記入出庫管理装置へ送信し、上記駐車場管理サーバは、受信した入庫時刻及び車室ＩＤを、受信した利用者ＩＤと関連づけて上記在車データベースに記録し、車両が車室から出庫する時には、上記入出庫管理装置は、車室ＩＤを、上記携帯端末へ送信し、上記携帯端末は、受信した車室ＩＤと、出庫時刻と、利用者ＩＤを、ネットワークを介して上記駐車場管理サーバへ送信し、上記駐車場管理サーバは、受信した利用者ＩＤ及び車室ＩＤに基づいて上記在車データベースを検索し、利用者ＩＤ及び車室ＩＤと関連づけられて記録された入庫時刻を読み取り、読み取られた入庫時刻と、該入庫時刻及び受信した出庫時刻に基づいて求められた駐車時間とに基づいて、上記料金データベースを参照して駐車料金を求め、求められた駐車料金を、ネットワークを介して上記携帯端末へ送信し、上記携帯端末が駐車料金を決済する時には、上記携帯端末は、所定の決済手段を用いて、受信した駐車料金の決済を実行した後、上記入出庫管理装置を空車モードへ移行させる指示を上記入出庫管理装置へ送信する。
【発明の効果】
【００１２】
上述した本明細書に開示する駐車場管理システムの一形態によれば、駐車料金の精算に関する駐車場の利用者及び管理者の手間が低減される。
【図面の簡単な説明】
【００１３】
【図１】本明細書に開示する駐車場管理システムの第１実施形態のシステム構成図（サーバを含む）である。
【図２】本明細書に開示する駐車場管理システムの第１実施形態のシステム構成図（駐車場を含む）を示す図である。
【図３】利用者表を説明する図である。
【図４】在車表を説明する図である。
【図５】駐車料金表及び予約料金表を説明する図である。
【図６】店舗支払い金額表を説明する図である。
【図７】割引金額表を説明する図である。
【図８】予約表を説明する図である。
【図９】第１不正駐車表及び第２不正駐車表を説明する図である。
【図１０】車両が車室に入庫する時の入出庫管理装置の動作を説明する図である。
【図１１】駐車場管理システムの第１実施形態の動作を説明するシーケンス図（その１）である。
【図１２】車両が車室から出庫する時の入出庫管理装置の動作を説明する図である。
【図１３】駐車場管理システムの第１実施形態の動作を説明するシーケンス図（その２）である。
【図１４】駐車場管理システムの第１実施形態の動作を説明するシーケンス図（その３）である。
【図１５】携帯端末の表示部を示す図である。
【図１６】店舗の様子を説明する図である。
【図１７】駐車場管理システムの第２実施形態の動作を説明するシーケンス図（その１）である。
【図１８】駐車場管理システムの第２実施形態の動作を説明するシーケンス図（その２）である。
【図１９】駐車場管理システムの第３実施形態の動作を説明するシーケンス図（その１）である。
【図２０】駐車場管理システムの第３実施形態の動作を説明するシーケンス図（その２）である。
【図２１】駐車場管理システムの第４実施形態において、車両が車室に入庫する時の入出庫管理装置の動作を説明する図である。
【図２２】駐車場管理システムの第４実施形態の変型例において、車両が車室に入庫する時の入出庫管理装置の動作を説明する図である。
【発明を実施するための形態】
【００１４】
以下、本明細書で開示する駐車場管理システムの好ましい第１実施形態を、図を参照して説明する。但し、本発明の技術範囲はそれらの実施形態に限定されず、特許請求の範囲に記載された発明とその均等物に及ぶものである。
【００１５】
本実施形態の駐車場管理システム１（以下、単にシステム１ともいう）は、駐車場の利用者が、駐車料金の支払いを、利用者が有する携帯端末を用いて電子決済により行うので、料金精算機に対する駐車料金の精算が不要となり、駐車料金の支払い処理が低減される。また、駐車場の管理者は、料金精算機の売上金の回収及び料金精算機の保守等が不要となる。
【００１６】
図１は、本明細書に開示する駐車場管理システムの第１実施形態のシステム構成図（サーバを含む）である。図２は、本明細書に開示する駐車場管理システムの第１実施形態のシステム構成図（駐車場を含む）を示す図である。
【００１７】
システム１は、駐車場の利用者２が有する携帯端末１０と、ネットワークを介して通信可能な駐車場管理サーバ２０を備える。
【００１８】
駐車場管理サーバ２０は、インターネットネットワークＩＮに接続されている。携帯端末１０は、移動体通信網ＭＮを介してインターネットネットワークＩＮへ接続可能である。
【００１９】
また、インターネットネットワークＩＮには、携帯端末１０が、駐車料金の電子決済を実行する際に接続する決済サーバ２１が接続されている。
【００２０】
携帯端末１０は、演算部１１と、記憶部１２と、計時部１３と、表示部１４と、操作部１５と、通信部１６と、位置検出部１７を有する。
【００２１】
演算部１１は、記憶部１２に予め記憶されている所定のプログラムに従い、携帯端末１０の各要素の制御及び各種処理を行い、処理中に生じるデータを一時的に保存するために記憶部１２を利用する。
【００２２】
計時部１３は、年月日及び時刻を作成する。演算部１１は、計時部１３が作成した年月日及び時刻を用いて、各種処理を行う。
【００２３】
表示部１４は、演算部１１の動作によって、各種の情報を表示する。表示部１４としては、例えば、液晶パネルを用いることができる。
【００２４】
操作部１５は、利用者２によって操作されて、各種の情報を入力する。操作部１５としては、例えば、タッチパネルを用いることができる。演算部１１は、操作部１５から入力された各種の情報を用いて、各種処理を行う。
【００２５】
通信部１６は、移動体通信網ＭＮとの間でデータの送受信を行う。また、通信部１６は、後述する駐車場の車室に配置された入出庫管理装置４２との間でデータの送受信を行う。更に、通信部１６は、無線電話機能も有しており、移動体通信網ＭＮに接続して、他の無線電話との間で音声データの送受信を行う。
【００２６】
位置検出部１７は、携帯端末１０の現在の端末位置情報を作成する。位置検出部１７は、例えば、ＧＰＳ機能を備えており、このＧＰＳ機能を用いて現在の端末位置情報を取得しても良い。演算部１１は、位置検出部１７が作成した端末位置情報を用いて、各種処理を行う。
【００２７】
携帯端末１０としては、例えば、多機能型携帯電話機、タブレット端末、ノート型パーソナルコンピュータ等を用いることができる。
【００２８】
駐車場４０は、道路Ｒと接続しており、車両が駐車する複数の車室４１を有する。
【００２９】
各車室４１には、駐車場の利用者２が有する携帯端末１０と通信可能な入出庫管理装置４２が配置される。入出庫管理装置４２は、車室に車両が入庫している状態を示す在車モード及び車室に車両が入庫していない状態を示す空車モードを有する。入出庫管理装置４２は、デフォルトとして、空車モードを有するようにしても良い。
【００３０】
入出庫管理装置４２は、図示しない演算部と記憶部と表示部と操作部と、通信部４２ａを有する。入出庫管理装置４２は、例えば、ボードコンピュータ又はマイクロコンピュータ等のコンピュータを用いて構成され得る。
【００３１】
入出庫管理装置４２が有する在車モード又は空車モードは、例えば、記憶部に各モードを示すフラグとして記憶される。
【００３２】
入出庫管理装置４２は、通信部４２ａを用いて、携帯端末１０と直接通信する。携帯端末１０と入出庫管理装置４２の通信部４２ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部４２ａとの間の通信にＮＦＣを用いる場合には、利用者２が携帯端末１０を通信部４２ａに近接させることにより、両者の間で通信が行われる。
【００３３】
入出庫管理装置４２は、配置された車室を識別する車室ＩＤを有している。入出庫管理装置４２は、車室４１に入庫する利用者２の携帯端末１０に対して、車室ＩＤを送信する。車室ＩＤは、駐車場を識別する駐車場識別部と、駐車場内の車室を識別する車室識別部を有する。各車室に配置される入出庫管理装置４２の車室ＩＤは、共通の駐車場識別部と、車室ごとに異なる車室識別部を有する。
【００３４】
図２に示すように、入出庫管理装置４２は、入退出規制装置４３及び車両検知器４４を有する。入退出規制装置４３及び車両検知器４４は、通信可能に入出庫管理装置４２と接続されており、入出庫管理装置４２によって制御される。
【００３５】
入退出規制装置４３は、車室への車両の進入又は／及び車室からの車両の退出を規制する阻止板４３ａを有する。なお、入退出規制装置４３は、利用者２に対して、車室４１への車両３の進入又は／及び車室４１からの車両３の退出を禁止することを伝達する機能を有していれば良く、サイン若しくは言葉の表示又は音声案内であっても良い。
【００３６】
入退出規制装置４３は、入出庫管理装置４２によって制御されて、車室４１からの車両３の入退出を規制する。具体的には、車両３が車室４１に入庫する時には、入出庫管理装置４２は、入退出規制装置４３を、車室４１への車両３の進入を許容する状態へ移行させた後、車両３が車室４１に入庫すると、車室４１からの車両３の退出を阻止する状態へ移行させる。また、車両３が車室４１から出庫する時には、入出庫管理装置４２は、入退出規制装置４３を、車室４１からの車両３の退出を許容する状態へ移行させた後、車両３が車室４１から出庫すると、車室４１への車両３の進入を阻止する状態へ移行させる。
【００３７】
車両検知器４４は、車両３が車室４１に入庫しているか否かを検知して、検知した結果を入出庫管理装置４２に送信する。
【００３８】
図２に示す例では、車両検知器４４は、車室４１の地下に埋設されたループコイルを有する。車両検知器４４は、ループコイルを用いて、車両３が車室４１に入庫することによる磁場の変化を感知することにより、車両３が車室４１に入庫したことを検知する。
【００３９】
また、車両検知器４４として、金属を感知するセンサ、車両の入庫による光線の遮断若しくは反射を感知する光センサ、又はカメラを用いて撮影した画像から車両の存在を認識する装置等を用いても良い。
【００４０】
駐車場管理サーバ２０は、ネットワークを介して携帯端末１０と通信を行うことにより、利用者２が、駐車場４０を利用した駐車時間に基づいた駐車料金を求め、求めた駐車料金を、ネットワークを介して携帯端末１０へ送信する。
【００４１】
システム１は、駐車場管理サーバ２０と接続される複数のデータベース（ＤＢ）を備えている。駐車場管理サーバ２０は、各ＤＢを検索して、駐車料金の計算等の処理を実行する。具体的には、システム１は、利用者データベース（ＤＢ）３１と、在車データベース（ＤＢ）３２と、料金データベース（ＤＢ）３３と、店舗支払いデータベース（ＤＢ）３４と、割引データベース（ＤＢ）３５と、予約データベース（ＤＢ）３６と、不正駐車データベース（ＤＢ）３７を備える。
【００４２】
次に、各データベース（ＤＢ）について、図面を参照して、以下に説明する。
【００４３】
図３は、利用者ＤＢ３１に記録される利用者登録表３１ａを示す。
【００４４】
利用者登録表３１ａには、システム１を利用することが登録されている駐車場の利用者名と、利用者の住所又は電話番号等の利用者情報と、利用者２が駐車している駐車場ＩＤが、利用者２を識別する利用者ＩＤと関連付けられて記録されている。また、利用者登録表３１ａには、携帯端末１０が駐車場管理サーバ２０との通信を開始するための暗証番号が、利用者ＩＤと関連付けられて記録されていても良い。
【００４５】
図４は、在車ＤＢ３２に記録される在車表３２ａを示す。
【００４６】
在車表３２ａは、システム１が管理する駐車場を識別する駐車場ＩＤによって識別される。即ち、在車ＤＢ３２には、システム１が管理する駐車場毎に在車表が記録される。
【００４７】
在車表３２ａには、車両３が駐車している車室４１を識別する車室ＩＤと、利用者２の車両３が駐車場の車室４１に入庫した入庫時刻と、利用者２の車両３が駐車場の車室４１から出庫した出庫時刻とが、利用者ＩＤと関連付けられて記録される。
【００４８】
本明細書では、入庫時刻又は出庫時刻等の時刻は、時分と共に、年月日を含む意味である。
【００４９】
図５は、料金ＤＢ３３に記録される駐車料金表３３ａと、予約料金表３３ｂを示す。
【００５０】
駐車料金表３３ａは、システム１が管理する駐車場を識別する駐車場ＩＤによって識別される。即ち、料金ＤＢ３３には、システム１が管理する駐車場毎に駐車料金表が記録される。
【００５１】
駐車料金表３３ａには、駐車時間と駐車料金との関係が記録される。
【００５２】
予約料金表３３ｂには、駐車場の利用者２が駐車場の車室の予約を利用した場合の予約料金が、駐車場ＩＤと関連付けられて記録される。即ち、予約料金は、駐車場によって異なる場合がある。
【００５３】
図６は、店舗支払いＤＢ３４に記録される店舗支払い金額表３４ａを示す。
【００５４】
詳しくは後述するが、駐車場の周辺の店舗には、携帯端末１０と通信可能な割引認証機が配置されており、この割引認証機は、駐車場の利用者２が店舗で支払った支払い金額と、店舗を識別する店舗ＩＤを、携帯端末に送信する。システム１は、利用者２が店舗で支払った支払い金額に応じた割引金額を、駐車料金から減額する。店舗支払い金額表３４ａは、この処理の際に使用される。
【００５５】
店舗支払い金額表３４ａには、店舗ＩＤと、割引認証機を識別する認証機ＩＤと、支払い金額と、利用者が支払金額を店舗で支払った支払い時刻とが、利用者ＩＤと関連付けられて記録される。また、店舗支払い金額表３４ａは、駐車場ＩＤによって識別される。
【００５６】
図７は、割引ＤＢ３５に記録される割引金額表３５ａを示す。
【００５７】
割引金額表３５ａには、店舗ＩＤによって識別される店舗ごとに定められた支払金額と割引金額との関係が記録される。また、各店舗の割引金額は、駐車場との関係で定められているので、割引金額表３５ａは、店舗ＩＤと駐車場ＩＤとによって識別さる。
【００５８】
図８は、予約ＤＢ３６に記録される予約表３６ａを示す。
【００５９】
システム１では、駐車場の利用者２による駐車場の車室の予約を行うことができる。
【００６０】
予約表３６ａには、駐車場の車室への駐車が予約された予約時間帯と、予約された車室を識別する車室ＩＤと、予約された車室ＩＤで識別される車室への駐車を開始した駐車開始時刻と、予約されていた車室ＩＤで識別される車室への駐車を終了した駐車終了時刻とが、利用者ＩＤと関連付けられて記録される。ここで、予約時間帯は、駐車開始予定時刻と、駐車終了予定時刻とを含む。
【００６１】
図９は、不正駐車ＤＢ３７に記録される第１不正駐車表３７ａ及び第２不正駐車表３７ｂを説明する図である。
【００６２】
詳しくは後述するが、システム１は、駐車場の車室４１に不正に車両が駐車された場合には、駐車している車両の画像が撮影されて、撮影された画像が、車室ＩＤと関連づけられて不正駐車ＤＢ３７の所定の領域に記録される。
【００６３】
第１不正駐車表３７ａには、撮影された画像を識別する画像ＩＤと、画像が撮影された時刻である撮影時刻と、車両が車室に不正に入庫した時刻である不正入庫時刻と、不正に入庫した車両が車室から出庫した時刻である不正出庫時刻とが、車室ＩＤと関連づけられて記憶される。
【００６４】
また、システム１は、駐車場の車室４１に不正に車両が駐車された場合には、駐車している車両を識別する車両情報が認識されて、認識された車両情報が、車室ＩＤと関連づけられて不正駐車ＤＢ３７に記録される。
【００６５】
第２不正駐車表３７ｂには、認識された車両情報と、車両情報が認識された時刻である認識時刻と、車両が車室に不正に入庫した時刻である不正入庫時刻と、不正に入庫した車両が車室から出庫した時刻である不正出庫時刻とが、車室ＩＤと関連づけられて記録される。
【００６６】
次に、本実施形態のシステム１の動作例を、図１０〜図１５を参照して、以下に説明する。
【００６７】
まず、車両が車室に入庫する時のシステム１の動作を以下に説明する。
【００６８】
図１０（Ａ）に示すように、車両３を運転する駐車場の利用者２は、駐車場４０の車両が車室に入庫していない車室４１の前で停車する。この時、入退出規制装置４３は、阻止板４３ａが立ち上がっており、車室４１への車両３の進入を阻止する状態にある。
【００６９】
利用者２が、携帯端末１０を入出庫管理装置４２の通信部４２ａに近づける等の動作を実行することにより、入出庫管理装置４２と携帯端末１０との間の距離が通信可能な範囲内になると、両者の間で通信が開始される。
【００７０】
そして、図１１のステップＳ１０において、入出庫管理装置４２は、車室ＩＤ及び入出庫管理装置４２が空車モードであることを示す空車モード情報を、携帯端末１０へ送信する。
【００７１】
次に、ステップＳ１２において、携帯端末１０は、車室ＩＤ及び空車モード情報を受信する。
【００７２】
次に、ステップＳ１４において、携帯端末１０は、車室ＩＤと、空車モード情報を受信した時刻である入庫時刻と、利用者ＩＤを、ネットワークを介して駐車場管理サーバ２０へ送信する。入庫時刻は、計時部１３が作成する。ここで、入庫時刻は、車室への車両の入庫を示す時刻であれば良く、入庫時刻は、入出庫管理装置４２が空車モード情報を送信した時刻であっても良い。
【００７３】
次に、ステップＳ１６において、駐車場管理サーバ２０は、車室ＩＤと、入庫時刻と、利用者ＩＤを受信する。
【００７４】
次に、ステップＳ１８において、駐車場管理サーバ２０は、利用者ＤＢ３１の利用者登録表３１ａを検索して受信した利用者ＩＤが登録されているかを判断する。そして、受信した利用者ＩＤが利用者登録表３１ａに登録されている場合には、ステップＳ２０に進む。一方、受信した利用者ＩＤが利用者登録表３１ａに登録されていない場合には、ステップＳ３０に進む。
【００７５】
ステップＳ２０に進んだ場合、駐車場管理サーバ２０は、利用者が登録利用者であることを、ネットワークを介して携帯端末１０へ送信する。
【００７６】
次に、ステップＳ２２において、利用者が登録利用者であることを受信した携帯端末１０は、入出庫管理装置４２を在車モードへ移行させる指示を、入出庫管理装置４２へ送信する。
【００７７】
次に、ステップＳ２４において、入出庫管理装置４２は、在車モードへ移行する指示を受信して、在車モードへ移行する。
【００７８】
次に、ステップＳ２６において、入出庫管理装置４２は、阻止板４３ａを倒すように入退出規制装置４３ａを制御して、入退出規制装置４３ａを車室４１への車両３の進入を許容する状態へ移行させる（図１０（Ｂ）参照）。
【００７９】
そして、図１０（Ｃ）に示すように、利用者２は、車両３を運転して、車室４１へ進入して入庫する。
【００８０】
その後、図１０（Ｄ）に示すように、入出庫管理装置４２は、車両検知器４４が車両３が車室４１に入庫したことを検知すると、阻止板４３ａを立ち上げるように入退出規制装置４３ａを制御して、入退出規制装置４３ａを車室４１からの車両３の退出を阻止する状態へ移行させる。なお、車両検知器４４を配置せずに、在車モードへ移行する指示を受信して所定の時間が経過した後、阻止板４３ａを立ち上げるように入出庫管理装置４２が入退出規制装置４３ａを制御しても良い。
【００８１】
また、駐車場管理サーバ２０は、ステップＳ２８において、受信した車室ＩＤ及び入庫時刻を、受信した利用者ＩＤと関連づけて、駐車場ＩＤで識別される在車表３２ａに記録する。駐車場ＩＤは、車室ＩＤが有する駐車場識別部から読み取られる。また、駐車場管理サーバ２０は、読み取った駐車場ＩＤを、利用者ＩＤと関連づけて、利用者登録表３１ａに記録する。利用者ＩＤと関連づけられて利用者登録表３１ａに駐車場ＩＤが記録されている利用者は、駐車場ＩＤによって識別される駐車場を利用している状態にある。
【００８２】
一方、ステップＳ３０に進んだ場合、駐車場管理サーバ２０は、利用者が登録利用者でないことを、ネットワークを介して携帯端末１０へ送信する。
【００８３】
次に、ステップＳ３２において、利用者が登録利用者でないことを受信した携帯端末１０は、登録利用者でないことを表示部１４に表示する。
【００８４】
次に、ステップＳ３４において、携帯端末１０は、登録利用者でない利用者が、駐車場を利用する代替手段を表示部１４に表示する。
【００８５】
次に、車両が車室から出庫する時のシステム１の動作を以下に説明する。
【００８６】
図１２（Ａ）に示すように、駐車場の利用者２は、携帯端末１０を入出庫管理装置４２の通信部４２ａに近づける等の動作を実行することにより、入出庫管理装置４２と携帯端末１０との間の距離が通信可能な範囲内になると、両者の間で通信が開始される。
【００８７】
そして、図１３のステップＳ４０において、入出庫管理装置４２は、車室ＩＤ、及び在車モードであることを示す在車モード情報を、携帯端末１０へ送信する。
【００８８】
次に、ステップＳ４２において、携帯端末１０は、車室ＩＤ及び在車モード情報を受信する。
【００８９】
次に、ステップＳ４４において、携帯端末１０は、受信した車室ＩＤと、在車モード情報を受信した時刻である出庫時刻と、利用者ＩＤを、ネットワークを介して駐車場管理サーバ２０へ送信する。出庫時刻は、計時部１３が作成する。ここで、出庫時刻は、車室からの車両の出庫を示す時刻であれば良く、出庫時刻は、入出庫管理装置４２が在車モード情報を送信した時刻であっても良い。
【００９０】
次に、ステップＳ４６において、駐車場管理サーバ２０は、車室ＩＤと、出庫時刻と、利用者ＩＤを受信する。
【００９１】
次に、ステップＳ４８において、駐車場管理サーバ２０は、受信した利用者ＩＤに基づいて在車表３２ａを検索し、利用者ＩＤと関連づけられて記録された入庫時刻の車室ＩＤを読み取り、入庫時刻の車室ＩＤが、受信した車室ＩＤと一致しているかを調べる。在車表３２ａは、利用者ＩＤに基づいて利用者登録表３１ａが検索されて読み取られた駐車場ＩＤを用いて識別される。以降、駐車場管理サーバ２０が在車表３２ａを用いる場合には、同様の処理が行われる。そして、入庫時刻の車室ＩＤが、受信した車室ＩＤと一致している場合には、ステップＳ５４に進む。一方、入庫時刻の車室ＩＤが、受信した車室ＩＤと一致していない場合には、ステップＳ５０に進む。
【００９２】
ステップ５４（図１４参照）に進んだ場合、駐車場管理サーバ２０は、受信した利用者ＩＤ及び車室ＩＤに基づいて在車表３２ａを検索し、利用者ＩＤ及び車室ＩＤと関連づけられて記録された入庫時刻を読み取り、読み取られた入庫時刻及び受信した出庫時刻に基づいて駐車時間を求め、求められた駐車時間に基づいて、料金ＤＢ３３の駐車料金表３３ａを参照して駐車料金を求める。駐車料金表３３ａは、利用者ＩＤに基づいて利用者登録表３１ａが検索されて読み取られた駐車場ＩＤを用いて識別される。以降、駐車場管理サーバ２０が駐車料金表３３ａを用いる場合には、同様の処理が行われる。
【００９３】
ここで、駐車料金を、入庫時刻と関係づけて決定しても良い。例えば、入庫時刻が、夜間等の時間帯、又は、休日若しくは祭日である場合には、単位時間あたりの駐車料金を通常とは異なる料金としたり、特定の記念日等は、駐車時間にかかわらず一定の料金とすることができる。この場合には、入庫時刻及び駐車時間と駐車料金との関係が、駐車料金表３３ａに記録される。
【００９４】
次に、ステップＳ５６において、駐車場管理サーバ２０は、求められた駐車料金を、入庫時刻と共に、ネットワークを介して携帯端末１０へ送信する。
【００９５】
次に、ステップＳ５８において、携帯端末１０は、駐車料金と、入庫時刻を受信する。
【００９６】
次に、ステップＳ６０において、携帯端末１０は、駐車料金を表示部１４に表示する。
【００９７】
図１５は、携帯端末の表示部を示す図である。
【００９８】
携帯端末１０の表示部１４には、駐車場名及び利用者の氏名が表示される。
【００９９】
また、表示部１４には、入庫時刻である駐車場の利用開始時刻が、利用開始時刻表示部１４ａに表示され、駐車料金が、駐車料金表示部１４ｂに表示され、利用者２への請求金額である利用料金が、利用料金表示部１４ｅに表示される。ここでは、利用料金表示部１４ｅに表示される料金は、駐車料金表示部１４ｂに表示された料金と同じである。
【０１００】
また、詳しくは後述するが、予約料金が発生している場合には、利用料金表示部１４ｅには、予約料金が加算された駐車料金が表示される。また、割引金額が発生している場合には、利用料金表示部１４ｅには、割引金額が減額された駐車料金が表示される。
【０１０１】
また、表示部１４には、利用者２によって選択される電子決済手段を選択する決済手段選択ボタン１４ｆ、１４ｇが表示される。電子決済手段としては、例えば、クレジットカード又は電子通貨が挙げられる。決済手段選択ボタン１４ｆ、１４ｇの選択は、操作部１５により入力される。クレジットカードの番号、電子通貨のＩＤ番号、又は駐車料金が支払われる決済相手情報等の決済情報は、記憶部１２に記憶されている。
【０１０２】
更に、表示部１４には、選択された電子決済手段による決済を操作する決済ボタン１４ｈが表示される。決済ボタン１４ｈの操作は、操作部１５により入力される。
【０１０３】
次に、ステップＳ６２において、利用者２が、決済手段選択ボタン１４ｆ、１４ｇを選択し、且つ、決済ボタン１４ｈを操作すると、携帯端末１０は、ネットワークを介して決済サーバ２１と接続する。携帯端末１０は、駐車料金及びその他の決済情報を、ネットワークを介して決済サーバ２１へ送信する。そして、決済サーバ２１は、駐車料金の決済を実行した後、決済完了通知をネットワークを介して携帯端末１０へ送信し、携帯端末１０は、決済完了通知を受信する。
【０１０４】
次に、ステップ６４において、決済完了通知を受信した携帯端末１０は、入出庫管理装置４２を空車モードへ移行させる指示を入出庫管理装置４２へ送信する。
【０１０５】
次に、ステップ６６において、入出庫管理装置４２は、空車モードへ移行する指示を受信して、空車モードへ移行する。
【０１０６】
次に、ステップ６８において、入出庫管理装置４２は、阻止板４３ａを倒すように入退出規制装置４３ａを制御して、入退出規制装置４３ａを、車室４１からの車両３の退出を許容する状態へ移行させる（図１２（Ａ）参照）。
【０１０７】
そして、図１２（Ｂ）に示すように、利用者２は、車両３を運転して、車室４１から退出して出庫する。
【０１０８】
その後、図１２（Ｃ）に示すように、入出庫管理装置４２は、車両検知器４４が車両が車室に入庫していないことを検知すると、阻止板４３ａを立ち上げるように入退出規制装置４３ａを制御して、車室４１への車両の進入を阻止する状態へ移行させる。なお、車両検知器４４を配置せずに、空車モードへ移行する指示を受信して所定の時間が経過した後、阻止板４３ａを立ち上げるように、入出庫管理装置４２が入退出規制装置４３ａを制御しても良い。
【０１０９】
また、ステップＳ７０において、携帯端末１０は、駐車料金の決済が完了したことを、ネットワークを介して駐車場管理サーバ２０へ送信する。
【０１１０】
次に、ステップＳ７２において、駐車場管理サーバ２０は、駐車料金の決済が完了したことを受信する。
【０１１１】
次に、ステップＳ７４において、駐車場管理サーバ２０は、受信した出庫時刻を、利用者ＩＤ及び車室ＩＤと関連づけて在車表３２ａに記録する。そして、駐車場管理サーバ２０は、利用者ＩＤに基づいて利用者登録表３１ａを検索し、利用者ＩＤと関連付けられている駐車場ＩＤを、利用者登録表３１ａから削除する。利用者ＩＤと関連づけられて利用者登録表３１ａに駐車場ＩＤが記録されていない利用者は、駐車場を利用していない状態にある。
【０１１２】
一方、ステップＳ５０（図１３参照）に進んだ場合、駐車場管理サーバ２０は、受信した車室ＩＤが、入庫時刻の車室ＩＤと一致していないことを、ネットワークを介して携帯端末１０へ送信する。
【０１１３】
次に、ステップＳ５２において、送信した車室ＩＤが、入庫時刻の車室ＩＤと一致していないことを受信した携帯端末１０は、送信した車室ＩＤが、入庫時刻の車室ＩＤと一致しないことを表示部１４に表示する。
【０１１４】
上述した本実施形態の駐車場管理システムによれば、駐車場４０の車室４１への車両３の入庫及び出庫の管理と、駐車料金の決済とが、利用者２の有する携帯端末１０と、駐車場管理サーバ２０及び決済サーバ２１との間の通信によって実行されるので、駐車料金の精算に関する駐車場の利用者の手間を低減できる。また、駐車場の管理者は、料金精算機の売上金の回収又は料金精算機の保守等の作業を行う必要がなくなるので、駐車場の管理者の管理の手間を低減できる。
【０１１５】
また、本実施形態によれば、駐車料金の改定があった場合には、料金ＤＢ３３に記録された駐車料金表３３ａの駐車時間と駐車料金との関係を変更することにより、駐車料金の改訂を容易に行うことができる。
【０１１６】
上述した本実施形態では、入出庫管理装置４２は、車室からの車両の入退出を規制する入退出規制装置４３を有していたが、入出庫管理装置４２は、車室への車両の進入を規制する進入規制機能のみを有していても良い。以下、進入規制機能のみを有する入退出規制装置を、進入規制装置ともいう。この場合、車両が車室に入庫していない車室に入庫する時には、入出庫管理装置４２は、入出庫管理装置４２を在車モードへ移行させる指示を受信した後、進入規制装置を、車室４１への車両３の進入を許容する状態へ移行させ、携帯端末１０が駐車料金を決済した後、空車モードへ移行させる指示を受信した入出庫管理装置４２は、進入規制装置を、車室への車両の進入を阻止する状態へ移行させる。
【０１１７】
また、入出庫管理装置４２は、車室からの車両の退出を規制する退出規制機能のみを有していても良い。以下、退出規制機能のみを有する入退出規制装置を、退出規制装置ともいう。この場合、車両が車室に入庫していない車室に入庫する時には、入出庫管理装置４２は、入出庫管理装置４２を在車モードへ移行させる指示を受信した後、退出規制装置を、車室からの車両の退出を阻止する状態へ移行させ、携帯端末１０が駐車料金を決済した後、空車モードへ移行させる指示を受信した入出庫管理装置４２は、退出規制装置を、車室からの車両の退出を許容する状態へ移行させる。
【０１１８】
次に、上述した駐車場管理システムの他の実施形態を、図１６〜図２２を参照しながら以下に説明する。他の実施形態について特に説明しない点については、上述の第１実施形態に関して詳述した説明が適宜適用される。
【０１１９】
まず、第２実施形態の駐車場管理システムについて、以下に説明する。
【０１２０】
本実施形態の駐車場管理システムでは、駐車場の利用者２が、駐車場の周辺の店舗で買い物をした場合、店舗で支払った支払い金額に応じて、駐車料金が減額される。
【０１２１】
図１６は、店舗の様子を説明する図である。
【０１２２】
本実施形態のシステム１では、駐車場の周辺の店舗５０において、商品５２を購入した駐車場の利用者２は、商品５２の代金を支払う。店舗５０の店員５０ａは、店舗５０に配置された割引認証機５１を操作して、利用者２が店舗で支払った支払い金額を割引認証機５１に入力する。
【０１２３】
割引認証機５１は、携帯端末１０と直接通信する通信部５１ａを有する。携帯端末１０と割引認証機５１の通信部５１ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部５１ａとの間の通信にＮＦＣを用いる場合には、利用者２が携帯端末１０を通信部５１ａに近接させることにより、両者の間で通信が行われる。割引認証機５１は、例えば、レジスタに組み込んでも良い。
【０１２４】
次に、本実施形態のシステム１の動作例を、図１７及び図１８を参照して、以下に説明する。
【０１２５】
まず、駐車場の利用者２が店舗５０で支払い代金を支払った時のシステム１の動作を以下に説明する。
【０１２６】
ステップＳ８０において、割引認証機５１は、支払い金額と、店舗を識別する店舗ＩＤと、駐車場の利用者２が店舗５０で支払い金額を支払った支払い時刻と、割引認証機５１を識別する認証機ＩＤを、携帯端末１０へ送信する。
【０１２７】
次に、ステップＳ８２において、携帯端末１０は、支払い金額と、店舗ＩＤと、支払い時刻と、認証機ＩＤを受信する。
【０１２８】
次に、ステップＳ８４において、携帯端末１０は、支払い金額と、店舗ＩＤと、支払い時刻と、認証機ＩＤを、利用者ＩＤと共に、ネットワークを介して駐車場管理サーバ２０へ送信する。
【０１２９】
次に、ステップＳ８６において、駐車場管理サーバ２０は、支払い金額と、店舗ＩＤと、支払い時刻と、認証機ＩＤを、利用者ＩＤと共に受信する。
【０１３０】
次に、ステップＳ８８において、駐車場管理サーバ２０は、受信した支払い金額と、店舗ＩＤと、支払い時刻と、認証機ＩＤを、利用者ＩＤと関連付けて、店舗支払いＤＢ３４の店舗支払い金額表３４ａに記録する。
【０１３１】
次に、車両が車室から出庫する時のシステム１の動作を以下に説明する。以下のシステム１の動作は、図１４のステップＳ５４とステップＳ６０との間に行われる。
【０１３２】
まず、ステップＳ９０において、駐車場管理サーバ２０は、利用者ＩＤに基づいて店舗支払い金額表３４ａを検索し、利用者ＩＤと関連づけられて記録された店舗ＩＤ及び支払い金額及び支払い時刻を求め、支払い時刻が、在車表３２ａに記録された入庫時刻と出庫時刻との間にあるかを判断する。
【０１３３】
次に、ステップＳ９２に進む。ステップＳ９２では、ステップＳ９２ａ及びＳ９２ｂ若しくはステップＳ９２ｃが実行される。
【０１３４】
まず、ステップＳ９２ａにおいて、駐車場管理サーバ２０は、支払い時刻が、在車表３２ａに記録された入庫時刻と出庫時刻との間にある場合には、求められた店舗ＩＤ及び支払い金額に基づいて、駐車場ＩＤによって識別される割引表３５ａを検索して割引金額を求め、割引金額が減額された駐車料金を求める。割引表３５ａは、利用者ＩＤに基づいて利用者登録表３１ａが検索されて読み取られた駐車場ＩＤを用いて識別される。以降、駐車場管理サーバ２０が割引表３５ａを用いる場合には、同様の処理が行われる。
【０１３５】
次に、ステップＳ９２ｂにおいて、駐車場管理サーバ２０は、割引金額が減額された駐車料金と、割引金額と、入庫時刻を、ネットワークを介して携帯端末１０へ送信する。
【０１３６】
次に、ステップＳ９４において、携帯端末１０は、割引金額が減額された駐車料金と、割引金額と、入場時刻を受信する。
【０１３７】
そして、携帯端末１０は、図１４のステップＳ６０において、駐車料金及び入庫時刻を表示する。
【０１３８】
携帯端末１０の表示部１４の駐車料金表示部１４ｂ（図１５参照）には、割引料金が減額される前の駐車料金が表示される共に、割引金額表示部１４ｄに割引金額が表示される。ここで、割引金額が減額される前の駐車料金は、割引金額が減額された駐車料金に対して割引料金が加算された値である。そして、利用料金表示部１４ｅには、割引金額が減額された駐車料金が表示される。
【０１３９】
一方、ステップＳ９２ｃにおいて、支払い時刻が、入庫時刻と出庫時刻との間ではない場合には、駐車場管理サーバ２０は、入庫時刻と、割引金額を減額されない駐車料金を、ネットワークを介して携帯端末１０へ送信する。これは、利用者２が店舗５０で商品の購入をした時刻が、駐車場の利用時間内ではないと判断されたためである。
【０１４０】
次に、ステップＳ９６において、携帯端末１０は、入庫時刻と、割引金額を減額されない駐車料金を受信する。
【０１４１】
そして、携帯端末１０は、図１４のステップＳ６０において、駐車料金及び入庫時刻を表示する。
【０１４２】
上述した本実施形態の駐車場管理システムによれば、駐車場の周辺の店舗５０で商品の購入を行った駐車場の利用者２に対して、駐車料金の減額を行うことにより、利用者２による駐車場の利用を促進することができる。また、駐車場の周辺の店舗５０における利用者２による商品の購入を促進することができる。
【０１４３】
なお、利用者２が、駐車時間内に、複数の支払いを行った場合には、支払い金額それぞれの割引金額が、駐車料金から減額されるようにしても良い。
【０１４４】
また、システム１は、利用者２が店舗で支払った支払い金額に応じて、利用者に付与されるポイントを、利用者ＩＤと関連づけて記録するポイントＤＢを有していても良い。このポイントは、ポイントが付与された店舗で買い物をする際に、支払い金額の割引に用いられる。
次に、第４実施形態の駐車場管理システムについて、図１９及び図２０を参照して、以下に説明する。
【０１４５】
本実施形態のシステム１では、駐車場の利用者２が駐車場の車室の予約を行うことができる。そして、駐車場の車室の予約が利用された場合には、予約料金が駐車料金に加算される。
【０１４６】
利用者２は、駐車場を利用する前に携帯端末１０を操作して、駐車場管理サーバ２０に対して、駐車場への駐車を予約する。
【０１４７】
駐車場管理サーバ２０は、駐車場への駐車が予約された予約時間帯と、予約された車室を識別する車室ＩＤを、利用者ＩＤと関連付けて、予約ＤＢ３６の駐車場ＩＤによって識別される予約表３６ａに記録する。また、駐車場管理サーバ２０は、利用者２の携帯端末１０に対して、駐車場の車室の予約が完了したことと、予約時間帯と、予約された車室を識別する車室ＩＤを、ネットワークを介して送信する。
【０１４８】
利用者２は、携帯端末１０が受信した車室ＩＤに基づいて、予約された車室へ車両を駐車することができる。
【０１４９】
まず、車両が予約された車室へ入庫する時のシステム１の動作を以下に説明する。
【０１５０】
図１０（Ａ）に示すように、車両３を運転する駐車場の利用者２は、駐車場４０の予約された車室４１の前で停車する。予約された車室４１には、車両が車室に入庫していない。この時、入退出規制装置４３は、阻止板４３ａが立ち上がっており、車室４１への車両３の進入を阻止する状態にある。
【０１５１】
利用者２が、携帯端末１０を入出庫管理装置４２の通信部４２ａに近づける等の動作を実行することにより、入出庫管理装置４２と携帯端末１０との間の距離が通信可能な範囲内になると、両者の間で通信が開始される。
【０１５２】
そして、図１９のステップＳ１００において、入出庫管理装置４２は、車室ＩＤ及び入出庫管理装置４２が空車モードであることを示す空車モード情報を、携帯端末１０へ送信する。
【０１５３】
次に、ステップＳ１０２において、携帯端末１０は、車室ＩＤ及び空車モード情報を受信する。
【０１５４】
次に、ステップＳ１０４において、携帯端末１０は、車室ＩＤと、空車モード情報を受信した時刻である入庫時刻と、利用者ＩＤを、ネットワークを介して駐車場管理サーバ２０へ送信する。
【０１５５】
次に、ステップＳ１０６において、駐車場管理サーバ２０は、車室ＩＤと、入庫時刻と、利用者ＩＤを受信する。
【０１５６】
次に、ステップＳ１０７において、駐車場管理サーバ２０は、利用者ＤＢ３１の利用者登録表３１ａを検索して受信した利用者ＩＤが登録されているかを判断する。そして、受信した利用者ＩＤが利用者登録表３１ａに登録されている場合には、ステップＳ１０８に進む。一方、受信した利用者ＩＤが利用者登録表３１ａに登録されていない場合には、ステップＳ３０に進む。ステップＳ３０へ進んだ場合の動作は、上述した第１実施形態と同様である。
【０１５７】
ステップＳ１０８に進んだ場合には、駐車場管理サーバ２０は、受信した入庫時刻が、予約表３６ａに記録された予約時間帯に含まれているかを判断する。そして、入庫時刻が、予約表３６ａに記録された予約時間帯に含まれている場合には、ステップＳ１１１に進む。一方、入庫時刻が、予約表３６ａに記録された予約時間帯に含まれていない場合には、ステップＳ１０９に進む。
【０１５８】
ステップＳ１１１に進んだ場合には、駐車場管理サーバ２０は、利用者が、予約が有効な登録利用者であることを、ネットワークを介して携帯端末１０へ送信する。ステップＳ２２へ進んだ場合の動作は、上述した第１実施形態と同様である。
【０１５９】
また、駐車場管理サーバ２０は、ステップＳ１１２において、受信した車室ＩＤを、受信した利用者ＩＤと関連づけて、駐車場ＩＤで識別される在車表３２ａに記録すると共に、受信した入庫時刻を、利用者ＩＤと関連づけて、駐車開始時刻として予約表３６ａに記録する。予約表３７ａは、利用者ＩＤに基づいて利用者登録表３１ａが検索されて読み取られた駐車場ＩＤを用いて識別される。以降、駐車場管理サーバ２０が予約表３７ａを用いる場合には、同様の処理が行われる。
【０１６０】
一方、ステップＳ１０９に進んだ場合には、駐車場管理サーバ２０は、利用者に対して予約時間帯を確認することを、ネットワークを介して携帯端末１０へ送信する。
【０１６１】
次に、ステップＳ１１０において、携帯端末１０は、利用者に対して予約時間帯を確認するように表示部１４に表示する。
【０１６２】
次に、車両が車室から出庫する時のシステム１の動作を以下に説明する。
【０１６３】
図１２（Ａ）に示すように、駐車場の利用者２は、携帯端末１０を入出庫管理装置４２の通信部４２ａに近づける等の動作を実行することにより、入出庫管理装置４２と携帯端末１０との間の距離が通信可能な範囲内になると、両者の間で通信が開始される。
【０１６４】
この後のシステム１の動作は、以下に説明する動作を除いては、上述した第１実施形態と同様である。
【０１６５】
以下のシステム１の動作は、図１４のステップＳ５４とステップＳ６０との間に行われる。
【０１６６】
まず、図２０のステップＳ１１４において、駐車場管理サーバ２０は、受信した利用者ＩＤに基づいて予約表３７ａを検索し、利用者ＩＤと関連づけられて記録された駐車開始時刻が記録されているか判断する。
【０１６７】
次に、ステップＳ１１６に進む。ステップＳ１１６では、ステップＳ１１６ａ及びＳ１１６ｂ若しくはステップＳ１１６ｃが実行される。
【０１６８】
まず、ステップ１１６ａにおいて、利用者ＩＤと関連づけられて記録された駐車開始時刻又は予約時間帯が、予約表３７ａに記録されている場合には、駐車場管理サーバ２０は、駐車場ＩＤに基づいて予約料金表３３ｂを参照して予約料金を求める。ここで、駐車場ＩＤは、利用者ＩＤに基づいて利用者登録表３１ａが検索されて読み取られる。
【０１６９】
次に、ステップＳ１１６ｂにおいて、駐車場管理サーバ２０は、入庫時刻と、駐車料金と、求められた予約料金を、ネットワークを介して携帯端末１０へ送信する。なお、駐車場管理サーバ２０は、駐車料金と、求められた予約料金が加算された駐車料金を、ネットワークを介して携帯端末１０へ送信しても良い。
【０１７０】
次に、ステップＳ１１８において、携帯端末１０は、入庫時刻と、駐車料金と、予約料金を受信する。
【０１７１】
そして、携帯端末１０は、図１４のステップＳ６０において、駐車料金を表示する。
【０１７２】
携帯端末１０の表示部１４の駐車料金表示部１４ｂには、予約料金が加算される前の駐車料金が表示される共に、予約料金表示部１４ｃに予約料金が表示される。そして、利用料金表示部１４ｅには、予約料金が加算された駐車料金が表示される。
【０１７３】
一方、ステップＳ１１６ｃにおいて、利用者ＩＤと関連づけられて記録された駐車開始時刻が、予約表３７ａに記録されていない場合には、駐車場管理サーバ２０は、予約が利用されていないと判断して予約料金を加算することなく、入庫時刻と、図１４のステップＳ５４で求められた駐車料金を、ネットワークを介して携帯端末１０へ送信する。
【０１７４】
次に、ステップＳ１２０において、携帯端末１０は、駐車料金と、入庫時刻を受信する。
【０１７５】
上述した本実施形態の駐車場管理システムによれば、駐車場の車室４１の予約を利用した利用者２に対する予約料金の決済が、駐車料金の決済と同様に、利用者２の有する携帯端末１０と、駐車場管理サーバ２０との間の通信によって実行されるので、予約料金の支払い処理を低減できる。
【０１７６】
なお、駐車場を予約した利用者が、予約された車室を利用しなかった場合でも、駐車場管理サーバ２０は、予約時間帯が経過した後に、駐車場ＩＤに基づいて予約料金表３３ｂを参照して予約料金を求めて、利用者に対して予約料金の請求処理を行う。
【０１７７】
次に、第４実施形態の駐車場管理システムについて、図２１を参照して、以下に説明する。
【０１７８】
本実施形態のシステム１では、図２１（Ａ）〜図２１（Ｃ）に示すように、入出庫管理装置４２は、入退出規制装置等を有していない。また、入出庫管理装置４２は、車室４１に不正に入庫している車両を撮影する撮影部４２ｂを有する。更に、入出庫管理装置４２は、インターネットネットワークＩＮを介して、駐車場管理サーバ２０へ通信可能である。
【０１７９】
本実施形態のシステム１の動作は、入退出規制装置の動作がない点を除いては、上述した第１実施形態と同様である。
【０１８０】
本実施形態のシステム１によれば、入退出規制装置等が車室に配置されないので、駐車場を設置する際の費用及び保守費用を低減することができる。また、利用者の車両が、入退出規制装置等と接触して損傷することも回避される。
【０１８１】
ただし、車室４１に入退出規制装置が配置されていないので、車両が車室に不正に駐車されるおそれがある。
【０１８２】
そこで、本実施形態のシステム１は、撮影部４２ｂを用いて、車室４１に不正に入庫している車両を撮影する。
【０１８３】
以下に、本実施形態のシステム１の動作を説明する。
【０１８４】
まず、図２１（Ａ）及び図２１（Ｂ）に示すように、不正の利用者は、車両の進入が阻止されることなく、車両３を運転して車室４１へ進入して入庫できる。
【０１８５】
次に、入出庫管理装置４２は、車両３が車室４１に入庫したことを車両検知器４４が検知すると、車両３が車室４１に入庫した時刻を不正入庫時刻として、車室ＩＤと共に、ネットワークを介して駐車場管理サーバ２０へ送信する。入庫した時刻は、例えば、入出庫管理装置４２が有する計時部が作成する。なお、この時点では、車両が不正に駐車されたとはまだ判断されていない。
【０１８６】
次に、駐車場管理サーバ２０は、受信した不正入庫時刻を、受信した車室ＩＤと関連づけて第１不正駐車表３７ａに記録する。第１不正駐車表３７ａは、利用者ＩＤに基づいて利用者登録表３１ａが検索されて読み取られた駐車場ＩＤを用いて識別される。以降、駐車場管理サーバ２０が第１不正駐車表３７ａを用いる場合には、同様の処理が行われる。
【０１８７】
ここで、不正の利用者は、携帯端末を用いて、入出庫管理装置４２と通信を開始することはない。従って、入出庫管理装置４２は、車室ＩＤと、空車モード情報を、携帯端末へ送信することはない。
【０１８８】
次に、入出庫管理装置４２は、車両３が車室４１に入庫したことを車両検知器４４が検知した時から所定の時間が経過するまでに、車室ＩＤと、空車モード情報を、携帯端末へ送信できない場合には、不正駐車と判断して、撮影部４２ｂを用いて車室に入庫している車両を撮影する。
【０１８９】
次に、入出庫管理装置４２は、撮影部４２ｂが撮影した画像と、画像が撮影された撮影時刻と、車室ＩＤを、ネットワークを介して駐車場管理サーバ２０に送信する。
【０１９０】
次に、駐車場管理サーバ２０は、受信した画像及び画像が撮影された撮影時刻を、車室ＩＤと関連づけて第１不正駐車表３７ａに記録する。具体的には、受信した画像は、車室ＩＤと関連づけられて不正駐車ＤＢ３７の所定の領域に記録され、撮影された画像を識別する画像ＩＤが、車室ＩＤと関連づけられて第１不正駐車表３７ａに記録される。
【０１９１】
また、車両３が車室４１から出庫して、車両３が車室４１に駐車していないことを車両検知器４４が検知すると、入出庫管理装置４２は、車両３が車室４１を出庫した時刻を不正出庫時刻として、車室ＩＤと共に、ネットワークを介して駐車場管理サーバ２０へ送信する。出庫した時刻は、入出庫管理装置４２が有する計時部が作成する。
【０１９２】
次に、駐車場管理サーバ２０は、出庫時刻を、受信した車室ＩＤと関連づけて第１不正駐車表３７ａに記録する。
【０１９３】
駐車場の管理者等は、不正駐車ＤＢ３７又は第１不正駐車表３７ａに記録された情報に基づいて、不正の利用者を特定し、駐車料金の請求を行うことができる。
【０１９４】
次に、第４実施形態の駐車場管理システムの変型例について、図２２を参照して、以下に説明する。
【０１９５】
本変型例では、入出庫管理装置４２が、車室４１に入庫している車両３を識別する車両情報を認識する車両情報認識部４２ｃを有している点が、上述した第４実施形態とは異なる。
【０１９６】
車両情報認識部４２ｃとしては、例えば、車両の車両番号を撮影して、文字認識により車両番号を認識する装置を用いることができる。また、車両を識別する車両ＩＤが記録されたＲＦＩＤタグが、車両に取り付けられている場合には、ＲＦＩＤリーダを用いて、ＲＦＩＤタグに記録された車両ＩＤを読み取るようにしても良い。更に、車両にＥＴＣ（登録商標）車載器が取り付けられている場合には、ＤＳＲＣ路側機等を用いて車両を識別する車両ＩＤを読み取るようにしても良い。
【０１９７】
本変型例の動作は、車両情報認識部４２ｃが車室４１に入庫している車両３の車両情報を認識する点を除いては、上述した第４実施形態と同様である。
【０１９８】
以下、上述した第４実施形態に対する相違点を中心に、本変型例の動作を説明する。
【０１９９】
入出庫管理装置４２は、車両３が車室４１に入庫したことを車両検知器４４が検知した時から所定の時間が経過するまでに、車室ＩＤと、空車モード情報を、携帯端末へ送信できない場合には、不正駐車と判断して、車両情報認識部４２ｃを用いて車室に入庫している車両の車両情報を認識する。
【０２００】
次に、入出庫管理装置４２は、車両情報認識部４２ｃが認識した車両情報と、車両情報が認識された認識時刻と、車室ＩＤを、ネットワークを介して駐車場管理サーバ２０に送信する。
【０２０１】
次に、駐車場管理サーバ２０は、受信した車両情報及び認識時刻を、車室ＩＤと関連づけて第２不正駐車表３７ｂに記録する。第２不正駐車表３７ｂは、利用者ＩＤに基づいて利用者登録表３１ａが検索されて読み取られた駐車場ＩＤを用いて識別される。以降、駐車場管理サーバ２０が第２不正駐車表３７ｂを用いる場合には、同様の処理が行われる。
【０２０２】
駐車場の管理者等は、第２不正駐車表３７ｂに記録された情報に基づいて、不正の利用者を特定し、駐車料金の請求を行うことができる。
【０２０３】
本発明では、上述した実施形態の駐車場管理システムは、本発明の趣旨を逸脱しない限り適宜変更が可能である。また、一の実施形態が有する構成要件は、他の実施形態にも適宜適用することができる。
【０２０４】
例えば、駐車場管理システムでは、利用者２が、携帯端末１０を用いて、現在までの駐車料金を確認できるようにしても良い。
【０２０５】
具体的には、携帯端末１０が、現在までの駐車料金の要求と、利用者ＩＤを、ネットワークを介して駐車場管理サーバ２０へ送信する。次に、駐車場管理サーバ２０は、受信した利用者ＩＤに基づいて在車表３２ａを検索し、利用者ＩＤと関連づけられて記録された入場時刻を読み取り、読み取られた入場時刻と、現在の時刻に基づいて求められた駐車時間とに基づいて、駐車料金表３３ａを参照して、現在までの駐車料金を求め、求められた現在までの駐車料金を、入場時刻と共に、ネットワークを介して携帯端末１０へ送信する。次に、携帯端末１０は、受信した入場時刻および駐車料金を表示部１４に表示する。
【符号の説明】
【０２０６】
１    駐車場管理システム
２    利用者
３    車両
１０    携帯端末
１１    演算部
１２    記憶部
１３    計時部
１４    表示部
１４ａ    利用開始時刻表示部
１４ｂ    駐車料金表示部
１４ｃ    予約料金表示部
１４ｄ    割引料金表示部
１４ｅ    利用料金表示部
１４ｆ、１４ｇ    決済手段選択ボタン
１４ｈ    決済実行ボタン
１５    操作部
１６    通信部
１７    位置検出部
２０    駐車場管理サーバ
２１    決済サーバ
３１    利用者ＤＢ
３１ａ    利用者登録表
３２    在車ＤＢ
３２ａ    在車表
３３    料金ＤＢ
３３ａ    駐車料金表
３３ｂ    予約料金表
３４    店舗支払いＤＢ
３４ａ    店舗支払い金額表
３５    割引ＤＢ
３５ａ    割引金額表
３６    予約ＤＢ
３６ａ    予約表
３７    不正駐車ＤＢ
３７ａ    第１不正駐車表
３７ｂ    第２不正駐車表
ＭＮ    移動体通信網
ＩＮ    インターネットネットワーク
４０    駐車場
４１    車室
４２    入出庫管理装置
４２ａ    通信部
４２ｂ    撮影部
４２ｃ    車両情報認識部
４３    入退出規制装置
４３ａ    阻止板
４４    車両検知器
Ｒ    道路
５０    店舗
５０ａ    店員
５１    割引認証機
５１ａ    通信部
５２    商品
Ｐ    現在位置
【図１】
2014174828.tif 000003
【図２】
2014174828.tif 000004
【図３】
2014174828.tif 000005
【図４】
2014174828.tif 000006
【図５】
2014174828.tif 000007
【図６】
2014174828.tif 000008
【図７】
2014174828.tif 000009
【図８】
2014174828.tif 000010
【図９】
2014174828.tif 000011
【図１０】
2014174828.tif 000012
【図１１】
2014174828.tif 000013
【図１２】
2014174828.tif 000014
【図１３】
2014174828.tif 000015
【図１４】
2014174828.tif 000016
【図１５】
2014174828.tif 000017
【図１６】
2014174828.tif 000018
【図１７】
2014174828.tif 000019
【図１８】
2014174828.tif 000020
【図１９】
2014174828.tif 000021
【図２０】
2014174828.tif 000022
【図２１】
2014174828.tif 000023
【図２２】
2014174828.tif 000024